(57)【要約】【課題】電源電圧の値がヘッドアンプの所定の動作保証範囲を超えた場合であっても、ライト電流の値を変更することを通じてライト特性の低下を防止する情報記憶装置及びライト電流制御方法を提供する。【解決手段】ヘッドアンプのライト電流設定部２３が、ライト電流の値を設定し、コンパレータ２１が、電源電圧ＶＣＣがヘッドアンプの所定の動作保証範囲の電圧の下限値より低いかを判断し、電源電圧ＶＣＣが上記下限値より低いと判断された場合に、電源電圧ＶＣＣがヘッドアンプの動作保証範囲の下限を超えたことを示す閾値超過信号をライト電流設定部２３に送信する。そして、ライト電流設定部２３が、上記閾値超過信号に基づいて、設定するライト電流の値を所定の値まで上げる。【選択図】図３
2010073261.tif 000002
【特許請求の範囲】
【請求項１】
ライト電流の値を設定するライト電流設定手段と、
電源電圧の値がヘッドアンプの所定の動作保証範囲を超えたかを判断する電源電圧判断手段とを備え、
前記電源電圧判断手段によって前記電源電圧の値が前記ヘッドアンプの所定の動作保証範囲を超えたと判断された場合に、前記ライト電流設定手段が、前記設定するライト電流の値を変更する
ことを特徴とする情報記憶装置。
【請求項２】
前記電源電圧判断手段によって前記電源電圧の値が前記ヘッドアンプの所定の動作保証範囲を超えたと判断された場合に、前記ライト電流設定手段に対してライト電流の値の変更を指示する制御手段を備え、
前記ライト電流設定手段が、前記制御手段の指示に従って、前記設定するライト電流の値を変更する
ことを特徴とする請求項１記載の情報記憶装置。
【請求項３】
前記制御手段が、前記電源電圧判断手段によって前記電源電圧の値が前記ヘッドアンプの所定の動作保証範囲を超えたと判断された場合に、所定の記憶手段に予め記憶されている、前記電源電圧の値が前記ヘッドアンプの所定の動作保証範囲を超えた場合に設定する最適なライト電流の値を取得し、前記ライト電流設定手段に対して、該取得されたライト電流の値を設定するように指示する
ことを特徴とする請求項２に記載の情報記憶装置。
【請求項４】
情報記憶装置におけるライト電流制御方法であって、
前記情報記憶装置が備える前記ライト電流設定手段が、ライト電流の値を設定し、
前記情報記憶装置が備える電源電圧判断手段が、電源電圧の値がヘッドアンプの所定の動作保証範囲を超えたかを判断し、
前記電源電圧の値が前記ヘッドアンプの所定の動作保証範囲を超えたと判断された場合に、前記ライト電流設定手段が、前記設定するライト電流の値を変更する
ことを特徴とするライト電流制御方法。
【請求項５】
前記情報記憶装置が備える制御手段が、前記電源電圧判断手段によって前記電源電圧の値が前記ヘッドアンプの所定の動作保証範囲を超えたと判断された場合に、前記ライト電流設定手段に対してライト電流の値の変更を指示し、
前記ライト電流設定手段が、前記制御手段の指示に従って、前記設定するライト電流の値を変更する
ことを特徴とする請求項４に記載のライト電流制御方法。
【請求項６】
前記制御手段が、前記電源電圧判断手段によって前記電源電圧の値が前記ヘッドアンプの所定の動作保証範囲を超えたと判断された場合に、所定の記憶手段に予め記憶されている、前記電源電圧の値が前記ヘッドアンプの所定の動作保証範囲を超えた場合に設定する最適なライト電流の値を取得し、前記ライト電流設定手段に対して、該取得されたライト電流の値を設定するように指示する
ことを特徴とする請求項５に記載のライト電流制御方法。
【発明の詳細な説明】
【技術分野】
【０００１】
本発明は、情報記憶装置及びライト電流制御方法に関し、特に、電源電圧の値がヘッドアンプの所定の動作保証範囲を超えた場合に、ライト電流の値を変更する情報記憶装置及びライト電流制御方法に関する。
【背景技術】
【０００２】
情報記憶装置において、例えば磁気ディスク装置等の磁気記憶装置では、磁気ヘッドに供給するライト電流の値は、ヘッドアンプと呼ばれるＩＣによって決められている。ライト電流の設定値は、ＨＤＣ（Hard Disk Controller) 等の制御装置から送信されるシリアルデータで制御することが可能である。データを磁気記憶装置の磁気記憶媒体上に記録するためには、所定の大きさ以上の記録磁界が必要であるため、装置調整時に各磁気ヘッドに対応する最適なライト電流の値が設定される。ここで、ヘッドアンプ内の回路は、電源電圧に基づいてライト電流を生成している。従って、例えば電源電圧が低下した場合、設定されたライト電流の値は、電源電圧の低下に伴って低下する。ライト電流の値が低下すると、磁気記憶装置のライト特性の劣化（例えば、記憶媒体に記録（ライト）されたデータのエラーレートの増加）が生じるという問題がある。
【０００３】
従来の磁気記憶装置は、定電流回路を用いて、ヘッドアンプの所定の動作保証範囲内の電圧変動に対してライト電流の値が維持されるように制御していた。
【０００４】
図８は、従来の磁気記憶装置が備えるヘッドアンプの回路構成例である。ＶＣＣは正の電源電圧、ＶＥＥは負の電源電圧である。ヘッドアンプが備えるライト電流設定部１００が、電流調整回路１０１、１０２に制御信号を送信して、ライトドライバ１０３に対して電流を供給させる。上記電流が、元々ライトドライバ１０３が生成するライト電流に加えられることによって、磁気ヘッド１０に対して供給されるライト電流の値が設定される。ライトドライバ１０３は、該設定されたライト電流を磁気ヘッド１０に供給する。ここで、図８中のライトドライバ１０３は、図示を省略する周知の定電流回路を有している。電源電圧がヘッドアンプの所定の動作保証範囲内で変動した場合、上記定電流回路が、ライト電流の値が維持されるように制御する。
【０００５】
なお、複数の電流調整用制御端子に入力する制御信号の組み合せに応じて出力電流値を変化させることが可能な電流源と、該電流源に対して温度変動及び電圧変動を補償する補償回路とを備える半導体集積回路が提案されている。
【特許文献１】特開平６−１８０８０６号公報
【発明の開示】
【発明が解決しようとする課題】
【０００６】
しかし、磁気記憶装置の使用条件によっては、電源電圧がヘッドアンプの動作保証範囲を超えた場合であっても、磁気記憶装置のライト特性を確保する必要がある。
【０００７】
図９は、従来技術の問題点を説明する図である。図９では、磁気記憶装置が、本来５Ｖの電源電圧で使用すべきヘッドアンプを備えており、電源電圧が所定の閾値まで低下した場合に異常報告をする機能を有するものとする。図９に示す例では、電源電圧が５Ｖから４．５Ｖまではヘッドアンプの動作保証範囲内である。ヘッドアンプの動作保証範囲は、ヘッドアンプが動作保証される電源電圧の範囲である。すなわち、４．５Ｖがヘッドアンプの動作保証がされなくなる閾値（ヘッドアンプ動作保証閾値）である。また、図９に示す例では、４．２Ｖが、磁気記憶装置全体として電源電圧が低すぎることを報告するか否かを決める閾値（装置異常報告閾値）である。すなわち、電源電圧が４．２Ｖ未満になると、磁気記憶装置が、装置全体として電源電圧が低すぎること（異常）を報告する。また、図９に示す例では、３．８Ｖがヘッドアンプとして電源電圧が低すぎることを報告するか否かを決める閾値（ヘッドアンプ異常報告閾値）である。
【０００８】
図９に示す例では、電源電圧が低下しても、５Ｖから４．５Ｖまではヘッドアンプの動作保証範囲内であり、ヘッドアンプが備える前述した定電流回路でライト電流の値を維持することができる。電源電圧がヘッドアンプの動作保証閾値である４．５Ｖより低い値まで低下すると、磁気記憶装置は、ライト電流の値を維持することができず、ライト電流が低下してしまう。しかし、磁気記憶装置の使用条件によっては、電源電圧がヘッドアンプの動作保証閾値（図９に示す例では、４．５Ｖ）と装置異常報告閾値（図９に示す例では、４．２Ｖ）との間の範囲にある間は、磁気記憶装置のライト電流の低下を防止してライト特性を確保する必要がある。従来の磁気記憶装置は、電源電圧がヘッドアンプの動作保証閾値を超えたことを検知してライト電流の値を変更することを行っていなかったので、電源電圧がヘッドアンプの動作保証閾値を超えると、ライト電流が低下してしまう。その結果、磁気記憶装置のライト特性が低下するという問題がある。
【０００９】
本発明は、電源電圧の値がヘッドアンプの所定の動作保証範囲を超えた場合であっても、ライト電流の値を変更することを通じてライト特性の低下を防止する情報記憶装置の提供を目的とする。
【００１０】
また、本発明は、電源電圧の値がヘッドアンプの所定の動作保証範囲を超えた場合であっても、ライト電流の値を変更することを通じて情報記憶装置のライト特性の低下を防止するライト電流制御方法の提供を目的とする。
【課題を解決するための手段】
【００１１】
本情報記憶装置は、ライト電流の値を設定するライト電流設定手段と、電源電圧の値がヘッドアンプの所定の動作保証範囲を超えたかを判断する電源電圧判断手段とを備え、前記電源電圧判断手段によって前記電源電圧の値が前記ヘッドアンプの所定の動作保証範囲を超えたと判断された場合に、前記ライト電流設定手段が、前記設定するライト電流の値を変更する。
【００１２】
また、本ライト電流制御方法は、情報記憶装置におけるライト電流制御方法であって、前記情報記憶装置が備える前記ライト電流設定手段が、ライト電流の値を設定し、前記情報記憶装置が備える電源電圧判断手段が、電源電圧の値がヘッドアンプの所定の動作保証範囲を超えたかを判断し、前記電源電圧の値が前記ヘッドアンプの所定の動作保証範囲を超えたと判断された場合に、前記ライト電流設定手段が、前記設定するライト電流の値を変更する。
【発明の効果】
【００１３】
本情報記憶装置及び本ライト電流制御方法は、電源電圧がヘッドアンプの動作保証閾値を超えたことを検知してライト電流の値を変更する。従って、本情報記憶装置及び本ライト電流制御方法によれば、電源電圧の値がヘッドアンプの所定の動作保証範囲を超えた場合であっても、ライト電流の値を変更することを通じてライト特性の低下を防止することができる。
【発明を実施するための最良の形態】
【００１４】
図１は、本実施形態の情報記憶装置の一例となる磁気記憶装置の構成例を示す図である。磁気記憶装置１は、例えば磁気ディスク装置である。磁気記憶装置１は、制御部１１、リードチャネル（ＲＤＣ：Read Channel）１２、ヘッドアンプ１３、ヘッド１４を備える。制御部１１は、例えば、ハードディスクコントローラ（ＨＤＣ:Hard Disk Controller)である。制御部１１は、ヘッドアンプ１３の起動時に、記憶部１１１に予め記憶された第１の最適電流値の磁気をＲＤＣ１２を介してヘッドアンプ１３に通知し、ヘッドアンプ１３に対して、ライト電流の値を第１の最適電流値に設定するように指示する。第１の最適電流値は、ヘッドアンプ１３の正常動作時、すなわち、ヘッドアンプ１３の電源電圧がヘッドアンプの動作保証範囲を超えていない時の最適なライト電流の値である。また、制御部１１は、磁気記憶媒体１５への書き込み対象のデータ（ライトデータ）をＲＤＣ１２を介してヘッドアンプ１３に送信する。
【００１５】
本発明の一実施形態によれば、記憶部１１１に第２の最適電流値、第３の最適電流値が予め記憶されている。第２の最適電流値は、電源電圧がヘッドアンプの動作保証範囲の下限を超えた時の最適なライト電流の値である。第２の最適電流値は、電源電圧がヘッドアンプの動作保証範囲の下限を超えたことによって低減するライト電流の値より高い値である。第３の最適電流値は、電源電圧がヘッドアンプの動作保証範囲の上限を超えた時の最適なライト電流の値である。第３の最適電流値は、電源電圧がヘッドアンプの動作保証範囲の上限を超えたことによって増加するライト電流の値より低い値である。そして、制御部１１が、ヘッドアンプ１３によって電源電圧がヘッドアンプの動作保証範囲を超えたと判断された場合に、記憶部１１１に予め記憶された上記第２の最適電流値又は第３の最適電流値を取得し、ヘッドアンプ１３に対して、ライト電流の値を第２の最適電流値又は第３の最適電流値に設定するように指示するようにしてもよい。
【００１６】
具体的には、制御部１１が、ヘッドアンプ１３からＲＤＣ１２を介して後述する閾値超過信号を受信し、該閾値超過信号に基づいて、記憶部１１１から第２の最適電流値又は第３の最適電流値を取得する。すなわち、制御部１１は、閾値超過信号が、電源電圧がヘッドアンプの動作保証範囲の下限を超えたことを示す信号である場合は、第２の最適電流値を取得し、閾値超過信号が、電源電圧がヘッドアンプの動作保証範囲の上限を超えたことを示す信号である場合は、第３の最適電流値を取得する。そして、制御部１１が、ヘッドアンプ１３に対して、ライト電流の値を取得された最適電流値（第２の最適電流値又は第３の最適電流値）に設定するように指示する制御信号を送信する。
【００１７】
ＲＤＣ１２は、周知のように、例えば磁気ヘッド等のヘッド１４によって磁気記憶媒体１５から読み出されてヘッドアンプ１３によって増幅されたリード信号を復号する。また、ＲＤＣ１２は、制御部１１から送信されたライトデータを符号化してヘッドアンプ１３に送信する。また、ＲＤＣ１２は、制御部１１からライト電流の値の設定に関する指示（制御信号）を受け、該制御信号をヘッドアンプ１３に送信する。本発明の一実施形態によれば、ＲＤＣ１２は、ヘッドアンプ１３から、電源電圧がヘッドアンプの動作保証範囲を超えたことを示す信号（閾値超過信号）を受信し、該閾値超過信号を制御部１１に送信する。閾値超過信号は、電源電圧がヘッドアンプの動作保証範囲の下限を超えたこと、又は電源電圧がヘッドアンプの動作保証範囲の上限を超えたことを示す。
【００１８】
ヘッドアンプ１３は、ヘッド１４に供給するライト電流の値を設定する。ヘッドアンプ１３は、電源電圧がヘッドアンプの所定の動作保証範囲を超えたかを判断し、判断結果に基づいて、上記設定するライト電流の値を変更する。本発明の一実施形態によれば、ヘッドアンプ１３は、電源電圧がヘッドアンプの所定の動作保証範囲を超えたと判断された場合に、前述した閾値超過信号を制御部１１に対して送信する。また、本発明の一実施形態によれば、ヘッドアンプ１３が、制御部１１から送信された、ライト電流の値の設定に関する指示（制御信号）に基づいて、ライト電流の値を第２の最適電流値又は第３の最適電流値に設定する。なお、ヘッドアンプ１３は、周知のように、制御部１１からＲＤＣ１２経由で送信されたライトデータをヘッド１４を介して磁気記憶媒体１５に書き込み（ライト処理を行い）、ヘッド１４を介して磁気記憶媒体１５から読み出されたリード信号を増幅してＲＤＣ１２に送信する。
【００１９】
図２は、図１に示す磁気記憶装置が備えるヘッドアンプ及びヘッドの拡大図の例である。図２中の太線の点線で示す部分は、ヘッドアンプ１３からヘッド１４に対するライト電流の伝送路（トレースライン）である。
【００２０】
図３は、本実施形態の磁気記憶装置が備えるヘッドアンプの回路構成例を示す図である。ヘッドアンプ１３は、複数のコンパレータ２１、２２、ライト電流設定部２３、ライトドライバ２４、複数の電流調整回路２５、２６を備える。なお、図３中の信号線２００は、ライト電流設定部２３と図１中のＲＤＣ１２との間の信号線である。コンパレータ２１は、電源電圧ＶＣＣと、予めコンパレータ２１に入力された閾値とを比較し、ＶＣＣが閾値を超えたかを判断する。この例では、上記閾値は、ヘッドアンプ１３の所定の動作保証範囲の電圧（例えば、５Ｖ±０．５Ｖの電圧）の上限値（例えば、５．５Ｖ）及び下限値（例えば、４．５Ｖ）とする。コンパレータ２１が、ＶＣＣが閾値を超えた（すなわち、ＶＣＣが上記上限値より大きいか又は上記下限値より小さい）と判断した場合、コンパレータ２１は、信号線２０３を通じて閾値超過信号をライト電流設定部２３に送信する。コンパレータ２２は、コンパレータ２１と同様の動作を行う。すなわち、コンパレータ２２は、電源電圧ＶＥＥと、予めコンパレータ２２に入力された閾値（ヘッドアンプ１３の所定の動作保証範囲の電圧の上限値及び下限値）とを比較して、ＶＥＥが閾値を超えたかを判断する。そして、コンパレータ２２が、ＶＥＥが閾値を超えたと判断した場合、コンパレータ２２は、信号線２０４を通じて閾値超過信号をライト電流設定部２３に送信する。
【００２１】
ライト電流設定部２３は、ライト電流の値を設定する。例えば、ライト電流設定部２３は、ヘッドアンプ１３の起動時に図１に示す制御部１１から送信される、ライト電流の値を第１の最適電流値に設定する指示（制御信号）を信号線２００を通じて受信する。そして、ライト電流設定部２３は、受信した制御信号に従って、ライト電流の値を第１の最適電流値に設定する。具体的には、ライト電流設定部２３が、信号線２０１又は２０２を通じて、電流調整回路２５又は２６に制御信号を送信し、電流調整回路２５又は２６が、上記制御信号に応じた電流をライトドライバ２４が生成するライト電流に加えることによって、ライト電流の値を第１の最適電流値に設定する。
【００２２】
また、ライト電流設定部２３は、本実施形態に特有の以下の動作を行う。すなわち、ライト電流設定部２３は、コンパレータ２１又はコンパレータ２２から送信された閾値超過信号に基づいて、設定するライト電流の値を変更する。例えば、上記閾値超過信号が、電源電圧がヘッドアンプの動作保証範囲の下限を超えたことを示す場合、ライト電流設定部２３は、設定するライト電流の値を所定の値まで上げる。具体的には、ライト電流設定部２３が、信号線２０１又は２０２を通じて電流調整回路２５又は２６に制御信号を送信し、電流調整回路２５又は２６が、上記制御信号に応じた電流をライトドライバ２４に対して加えることによって、ライトドライバ２４で生成されるライト電流の値が上記所定の値となるような電圧値に調整する。また、例えば、上記閾値超過信号が、電源電圧がヘッドアンプの動作保証範囲の上限を超えたことを示す場合、ライト電流設定部２３は、設定するライト電流の値を所定の値まで下げる。
【００２３】
ライトドライバ２４は、所定の電流源を備え、該電流源から供給される電流に基づいてライト電流を生成する。また、ライトドライバ２４は、上記生成されたライト電流に上記電流調整回路２５又は２６から供給される電流が加えられた電流を最終的なライト電流としてヘッド１４に供給する。また、ライトドライバ２４は、信号線２０５、２０６を通じてＲＤＣ１２からライトデータを受け取り、受け取ったライトデータをヘッド１４を介して磁気記憶媒体１５（図１を参照）に書き込む。なお、ライトドライバ２４は、周知の定電流回路を有している。電流調整回路２５、２６は、前述したように、ライト電流設定部２３から送信された制御信号に応じた電流をライトドライバ２４が生成するライト電流に加える。
【００２４】
図４は、本実施形態のライト電流の制御処理フローの例を示す図である。まず、ヘッドアンプ１３が起動する（ステップＳ１）。ヘッドアンプ１３のライト電流設定部２３が、ライト電流の値を前述した第１の最適電流値に設定する（ステップＳ２）。コンパレータ２１が、電源電圧ＶＣＣが所定の閾値（ヘッドアンプ１３の所定の動作保証範囲の電圧の上限値又は下限値）を超えたかを判断する（ステップＳ３）。コンパレータ２１が、電源電圧ＶＣＣが閾値を超えていないと判断した場合は、ヘッドアンプ１３は、ヘッド１４を介した磁気記憶媒体１５へのライト処理を行う（ステップＳ４）。
【００２５】
コンパレータ２１が、電源電圧ＶＣＣが閾値を超えたと判断した場合、コンパレータ２１は、電源電圧ＶＣＣが閾値より高いか（ヘッドアンプ１３の所定の動作保証範囲の電圧の上限値より高いか）、又は電源電圧が閾値より低いか（ヘッドアンプ１３の所定の動作保証範囲の電圧の下限値より低いか）を判断する（ステップＳ５）。コンパレータ２１が、電源電圧ＶＣＣが閾値より高いと判断した場合、コンパレータは、電源電圧ＶＣＣがヘッドアンプ１３の動作保証範囲の上限を超えたことを示す閾値超過信号をライト電流設定部２３に送信し、ライト電流設定部２３が、該閾値超過信号に基づいて、設定するライト電流の値を所定の値まで下げ（ステップＳ６）、ステップＳ４に進む。コンパレータ２１が、電源電圧ＶＣＣが閾値より低いと判断した場合、コンパレータは、電源電圧ＶＣＣがヘッドアンプ１３の動作保証範囲の下限を超えたことを示す閾値超過信号をライト電流設定部２３に送信し、ライト電流設定部２３が、該閾値超過信号に基づいて、設定するライト電流の値を所定の値まで上げ（ステップＳ７）、ステップＳ４に進む。
【００２６】
図５は、ライト電流の設定例を説明する図である。図５（Ａ）乃至図５（Ｃ）中の太線で示す波形は、設定されるライト電流を示す。図５では、トレースラインのインピーダンスは、例えば５０ｏｈｍとする。また、正の電源電圧ＶＣＣについてのヘッドアンプ１３の動作保証範囲の下限は、例えば４．５Ｖとする。すなわち、ＶＣＣ−ＶＥＥが９Ｖより低くなると、ＶＣＣが動作保証範囲の下限を超えるものとする。図５（Ａ）は、電源電圧が最大値の状態（例えば、ＶＣＣ−ＶＥＥが１０Ｖの状態）のときに設定されるライト電流を示す。ＶＣＣ−ＶＥＥが１０Ｖの場合、例えば、図５（Ａ）に示すように、設定されるライト電流の値（ライトドライバ２４がヘッド１４に供給するライト電流の値）は、例えば１６０ｍＡである。
【００２７】
図５（Ｂ）は、電源電圧が下がった場合のライト電流の値の低減を説明する図である。図５（Ｂ）では、本実施形態のライト電流制御処理が実行されないものと仮定する。例えば、ＶＣＣ−ＶＥＥが１０Ｖから８．６Ｖに下がり、ＶＣＣが動作保証範囲の下限を超えると、図６（Ｂ）に示すように、ヘッド１４に供給されるライト電流の値は、例えば１４０ｍＡに下がる。
【００２８】
図５（Ｃ）は、本実施形態のライト電流制御処理による、電源電圧が下がった場合のライト電流の制御を説明する図である。例えば、ＶＣＣ−ＶＥＥが１０Ｖから８．６Ｖに下がり、ＶＣＣが動作保証範囲の下限を超えると、ライト電流設定部２３が、制御信号を電流調整回路２５に送信し、電流調整回路２５が、該制御信号に応じた電流をライトドライバ２４が生成するライト電流に加える。その結果、図５（Ｂ）に示すように、ヘッド１４に供給されるライト電流の値は、例えば１５２ｍＡとなる。該供給されるライト電流の値（１５２ｍＡ）は、図５（Ｂ）を参照して説明した、本実施形態のライト電流制御処理が実行されない場合にヘッド１４に供給されるライト電流の値（１４０ｍＡ）より高い。すなわち、本実施形態のライト電流制御処理の実行により、ライト電流の値の低減を抑えることができる。
【００２９】
図６は、他の実施形態のヘッドアンプの回路構成例を示す図である。図６に示すヘッドアンプの構成要素のうち、図３に示すヘッドアンプの構成要素と同符号が付けられたものは、図３に示すヘッドアンプの構成要素と同様である。図６に示すヘッドアンプにおいては、コンパレータ２１、２２が、それぞれ、信号線２０７、２０８を通じてＲＤＣ１２と接続されている。コンパレータ２１が、ＶＣＣがヘッドアンプ１３の所定の動作保証範囲の電圧の上限値又は下限値を超えたと判断した場合、コンパレータ２１は、信号線２０７を通じて閾値超過信号をＲＤＣ１２に送信する。コンパレータ２２が、ＶＥＥがヘッドアンプ１３の所定の動作保証範囲の電圧の上限値又は下限値を超えたと判断した場合、コンパレータ２１は、信号線２０８を通じて閾値超過信号をＲＤＣ１２に送信する。ＲＤＣ１２は、コンパレータ２１又は２２から送信された閾値超過信号を制御部１１に送信する。制御部１１は、ＲＤＣ１２から送信された閾値超過信号が、電源電圧がヘッドアンプの動作保証範囲の下限を超えたことを示す信号である場合は、第２の最適電流値を取得し、閾値超過信号が、電源電圧がヘッドアンプの動作保証範囲の上限を超えたことを示す信号である場合は、第３の最適電流値を取得する。そして、制御部１１は、ＲＤＣ１２を介して、ヘッドアンプ１３内のライト電流設定部２３に対して、ライト電流の値を取得された最適電流値（第２の最適電流値又は第３の最適電流値）に設定するように指示する制御信号を送信する。ライト電流設定部２２は、上記制御信号に基づいて、ライトドライバ２４がヘッド１４に供給するライト電流の値を上記第２の最適電流値又は第３の最適電流値に設定する。
【００３０】
図７は、他の実施形態のライト電流の制御処理フローを示す図である。まず、磁気記憶装置１が備える所定の入力手段が、ユーザの指定入力に従って、制御部１１内の記憶部１１１に予め第２の最適電流値と第３の最適電流値とを記憶する（ステップＳ１１）。ヘッドアンプ１３が起動すると（ステップＳ１２）、ヘッドアンプ１３のライト電流設定部２３が、ライト電流の値を前述した第１の最適電流値に設定する（ステップＳ１３）。そして、ヘッドアンプ１３がヘッド１４を介してライト処理を実行する（ステップＳ１４）。次に、コンパレータ２１が、電源電圧ＶＣＣが所定の閾値（ヘッドアンプ１３の所定の動作保証範囲の電圧の上限値又は下限値）を超えたかを判断する（ステップＳ１５）。コンパレータ２１が、電源電圧ＶＣＣが閾値を超えていないと判断した場合は、上記ステップＳ１４に戻る。コンパレータ２１が、電源電圧ＶＣＣが閾値を超えたと判断した場合、コンパレータ２１は、電源電圧ＶＣＣが閾値より高いか（ヘッドアンプ１３の所定の動作保証範囲の電圧の上限値より高いか）、又は電源電圧が閾値より低いか（ヘッドアンプ１３の所定の動作保証範囲の電圧の下限値より低いか）を判断する（ステップＳ１６）。コンパレータ２１が、電源電圧ＶＣＣが閾値より高いと判断した場合、コンパレータ２１は、電源電圧ＶＣＣがヘッドアンプ１３の動作保証範囲の上限を超えたことを示す閾値超過信号をＲＤＣ１２を通じて制御部１１に送信し、制御部１１が、記憶部１１１に予め記憶された第３の最適電流値を取得する（ステップＳ１７）。制御部１１が、ヘッドアンプ１３に対して、ライト電流の値を第３の最適電流値に設定するように指示し、ヘッドアンプ１３のライト電流設定部２３が、ライト電流を第３の最適電流値に設定し（ステップＳ１８）、上記ステップＳ１４に戻る。
【００３１】
コンパレータ２１が、電源電圧ＶＣＣが閾値より低いと判断した場合、コンパレータ２１は、電源電圧ＶＣＣがヘッドアンプ１３の動作保証範囲の下限を超えたことを示す閾値超過信号を制御部１１に送信し、制御部１１が、記憶部１１１に予め記憶された第２の最適電流値を取得する（ステップＳ１９）。制御部１１が、ヘッドアンプ１３に対して、ライト電流の値を第２の最適電流値に設定するように指示し、ヘッドアンプ１３のライト電流設定部２３が、ライト電流を第２の最適電流値に設定して（ステップＳ２０）、上記ステップＳ１４に戻る。
【００３２】
以上、本発明を実施例により説明したが、本発明は上記実施例に限定されるものではなく、本発明の範囲内で種々の変形及び改良が可能であることは言うまでもない。
【図面の簡単な説明】
【００３３】
【図１】本実施形態の情報記憶装置の一例となる磁気記憶装置の構成例を示す図である。
【図２】磁気記憶装置が備えるヘッドアンプ及びヘッドの拡大図の例である。
【図３】磁気記憶装置が備えるヘッドアンプの回路構成例を示す図である。
【図４】本実施形態のライト電流の制御処理フローの例を示す図である。
【図５】ライト電流の設定例を説明する図である。
【図６】他の実施形態のヘッドアンプの回路構成例を示す図である。
【図７】他の実施形態のライト電流の制御処理フローを示す図である。
【図８】従来の磁気記憶装置が備えるヘッドアンプの回路構成例である。
【図９】従来技術の問題点を説明する図である。
【符号の説明】
【００３４】
１  磁気記憶装置
１１  制御部
１２  リードチャネル
１３  ヘッドアンプ
１４  ヘッド
１５  磁気記憶媒体
２１、２２  コンパレータ
２３  ライト電流設定部
２４  ライトドライバ
２５、２６  電流調整回路
【図１】
2010073261.tif 000003
【図２】
2010073261.tif 000004
【図３】
2010073261.tif 000005
【図４】
2010073261.tif 000006
【図５】
2010073261.tif 000007
【図６】
2010073261.tif 000008
【図７】
2010073261.tif 000009
【図８】
2010073261.tif 000010
【図９】
2010073261.tif 000011